(57)【要約】【課題】キャップの緩みを抑制し、なおかつ、再使用可能な状態でキャップを緩めることが可能なケーブルグランドを提供する。【解決手段】ケーブルグランド１は、グランド本体２とスリーブ３とキャップ４とスリーブコレット７とを備える。スリーブコレット７は、第１当接面部と第１爪部７５と第１傾斜面部７６とを含む。キャップ４は、第２当接面部と第２爪部４３と第２傾斜面部４４とを含む。第２当接面部が第１当接面部に当接されている場合に、第２爪部４３がスリーブコレット７と離間されるとともに、第１爪部７５がキャップ４と離間される。キャップ４がケーブル保持部２２に対してねじ込み方向に回転可能であり、かつ、所定トルク未満の場合にキャップ４の反対方向への回転が規制される。第１爪部７５に第１湾曲部が形成され、第２爪部４３に第２湾曲部が形成され、所定トルク以上でキャップ４が反対方向に回転された場合には、第２爪部４３が第１爪部７５を乗り越える。【選択図】図１
2020120568.tif 000002
【特許請求の範囲】
【請求項１】
ケーブルの挿通が可能な筒状の部材であって、円筒形状のケーブル保持部を有し、そのケーブル保持部の外周面に雄ねじが形成されているとともに、前記ケーブル保持部内に円すいテーパ面が形成されたグランド本体と、
ケーブルを通す挿通孔を有し、前記ケーブル保持部に嵌め込まれる円筒形状のスリーブと、
前記ケーブル保持部の雄ねじに噛み合う雌ねじが形成されたキャップと、を備え、
前記グランド本体のケーブル保持部内に前記スリーブを嵌め込んだ状態で、前記キャップを前記ケーブル保持部の雄ねじにねじ込むことにより、前記円すいテーパ面にて前記スリーブを縮径方向に変形させるケーブルグランドにおいて、
前記スリーブに装着されるスリーブコレットを備え、
前記スリーブコレットは、前記スリーブの外周部を囲う円筒形状に形成され当該スリーブの外周に嵌め込まれる円筒部とフランジとを有し、その円筒部には、当該円筒部の軸方向の途中から端部にまで延びるスリットが形成され、前記フランジが前記円筒部の端部から内側に突出するように形成され、
前記スリーブに前記スリーブコレットを装着し、そのスリーブを前記ケーブル保持部内に、前記スリーブコレットの前記スリット開放側の端部を前記円すいテーパ面に向けて嵌め込んだ状態で、前記キャップを前記ケーブル保持部の雄ねじにねじ込む際に、前記キャップと前記スリーブとの間に前記スリーブコレットが介在するように構成され、
前記スリーブコレットの円筒部には突部が形成されるとともに、前記グランド本体のケーブル保持部内には溝部が形成されており、前記スリーブコレットが装着された前記スリーブが前記ケーブル保持部内に嵌め込まれる場合に、前記グランド本体の溝部に前記スリーブコレットの突部が嵌め合されるように構成され、
前記スリーブコレットのフランジは、円環状の第１当接面部と、前記第１当接面部に対して径方向内側に配置された第１爪部と、前記第１爪部の背面側に設けられた第１傾斜面部とを含み、
前記キャップの前壁部は、円環状の第２当接面部と、前記第２当接面部に対して径方向内側に配置された第２爪部と、前記第２爪部の背面側に設けられた第２傾斜面部とを含み、
前記キャップが前記ケーブル保持部にねじ込まれるときに、前記キャップの第２当接面部が前記スリーブコレットの第１当接面部に当接されている場合に、前記キャップの第２爪部が前記スリーブコレットと離間されるとともに、前記スリーブコレットの第１爪部が前記キャップと離間されるように構成され、
前記キャップが前記ケーブル保持部に対してねじ込み方向に回転される場合には、前記第２当接面部が前記第１当接面部と摺動されるとともに、前記第２傾斜面部が前記第１傾斜面部に接触すると前記第２傾斜面部が前記第１傾斜面部を乗り越えることにより、前記キャップが前記ケーブル保持部に対して回転可能であり、かつ、前記キャップが前記ケーブル保持部に対してねじ込み方向とは反対方向に所定トルク未満で回転される場合には、前記第２爪部が前記第１爪部に係合され、前記キャップの反対方向への回転が規制されるように構成され、
さらに、前記第１爪部の先端側に第１湾曲部が形成されるとともに、前記第２爪部の先端側に第２湾曲部が形成されており、所定トルク以上で前記キャップが反対方向に回転された場合には、前記第２爪部が前記第１爪部を乗り越えるように構成されていることを特徴とするケーブルグランド。
【発明の詳細な説明】
【技術分野】
【０００１】
本発明は、ケーブルグランドに関する。
【背景技術】
【０００２】
電気機器にケーブルを接続する際、電気機器の筐体等に取り付けたケーブルグランドを介してケーブルを保持する技術が公知である。
【０００３】
従来のケーブルグランドは、筐体に取り付けられるグランド本体と、グランド本体に締め付けられるキャップと、キャップの締め付けによりグランド本体とケーブルとの間に圧入されるスリーブとを備えている。このようなケーブルグランドでは、スリーブにより、グランド本体とケーブルとの間の隙間が埋められるので、筐体内への異物（たとえば、水、油および塵埃など）の侵入を抑制することが可能である。
【０００４】
また、従来では、スリーブに装着されるスリーブコレットを備えるケーブルグランドが提案されている（例えば、特許文献１参照）。スリーブコレットは、スリーブの外周部を囲う円筒形状に形成された円筒部とフランジとを有する。円筒部には、円筒部の軸方向の途中から端部にまで延びるスリットが形成されている。フランジは、円筒部の端部から内側に突出するように形成されている。そして、スリーブコレットは、キャップとスリーブとの間に介在されており、圧入されるスリーブを適切に変形させるように構成されている。これにより、スリーブの気密・液密性およびケーブルの保持力をより確実に確保することが可能になる。
【先行技術文献】
【特許文献】
【０００５】
【特許文献１】特開２０１８−９８８２８号公報
【発明の概要】
【発明が解決しようとする課題】
【０００６】
しかしながら、上記した特許文献１のケーブルグランドでは、スリーブとキャップとの間にスリーブコレットが介在されており、スリーブコレットとキャップとの摩擦力が小さいため、キャップの緩みが生じやすい。キャップの緩みが生じると、気密・液密性が低下するとともに、ケーブルの保持力が低下するおそれがある。
【０００７】
本発明は、上記の課題を解決するためになされたものであり、本発明の目的は、キャップの緩みを抑制し、なおかつ、再使用可能な状態でキャップを緩めることが可能なケーブルグランドを提供することである。
【課題を解決するための手段】
【０００８】
本発明によるケーブルグランドは、ケーブルの挿通が可能な筒状の部材であって、円筒形状のケーブル保持部を有し、そのケーブル保持部の外周面に雄ねじが形成されているとともに、前記ケーブル保持部内に円すいテーパ面が形成されたグランド本体と、ケーブルを通す挿通孔を有し、前記ケーブル保持部に嵌め込まれる円筒形状のスリーブと、前記ケーブル保持部の雄ねじに噛み合う雌ねじが形成されたキャップと、を備え、前記グランド本体のケーブル保持部内に前記スリーブを嵌め込んだ状態で、前記キャップを前記ケーブル保持部の雄ねじにねじ込むことにより、前記円すいテーパ面にて前記スリーブを縮径方向に変形させるケーブルグランドにおいて、前記スリーブに装着されるスリーブコレットを備え、前記スリーブコレットは、前記スリーブの外周部を囲う円筒形状に形成され当該スリーブの外周に嵌め込まれる円筒部とフランジとを有し、その円筒部には、当該円筒部の軸方向の途中から端部にまで延びるスリットが形成され、前記フランジが前記円筒部の端部から内側に突出するように形成され、前記スリーブに前記スリーブコレットを装着し、そのスリーブを前記ケーブル保持部内に、前記スリーブコレットの前記スリット開放側の端部を前記円すいテーパ面に向けて嵌め込んだ状態で、前記キャップを前記ケーブル保持部の雄ねじにねじ込む際に、前記キャップと前記スリーブとの間に前記スリーブコレットが介在するように構成され、前記スリーブコレットの円筒部には突部が形成されるとともに、前記グランド本体のケーブル保持部内には溝部が形成されており、前記スリーブコレットが装着された前記スリーブが前記ケーブル保持部内に嵌め込まれる場合に、前記グランド本体の溝部に前記スリーブコレットの突部が嵌め合されるように構成され、前記スリーブコレットのフランジは、円環状の第１当接面部と、前記第１当接面部に対して径方向内側に配置された第１爪部と、前記第１爪部の背面側に設けられた第１傾斜面部とを含み、前記キャップの前壁部は、円環状の第２当接面部と、前記第２当接面部に対して径方向内側に配置された第２爪部と、前記第２爪部の背面側に設けられた第２傾斜面部とを含み、前記キャップが前記ケーブル保持部にねじ込まれるときに、前記キャップの第２当接面部が前記スリーブコレットの第１当接面部に当接されている場合に、前記キャップの第２爪部が前記スリーブコレットと離間されるとともに、前記スリーブコレットの第１爪部が前記キャップと離間されるように構成され、前記キャップが前記ケーブル保持部に対してねじ込み方向に回転される場合には、前記第２当接面部が前記第１当接面部と摺動されるとともに、前記第２傾斜面部が前記第１傾斜面部に接触すると前記第２傾斜面部が前記第１傾斜面部を乗り越えることにより、前記キャップが前記ケーブル保持部に対して回転可能であり、かつ、前記キャップが前記ケーブル保持部に対してねじ込み方向とは反対方向に所定トルク未満で回転される場合には、前記第２爪部が前記第１爪部に係合され、前記キャップの反対方向への回転が規制されるように構成され、さらに、前記第１爪部の先端側に第１湾曲部が形成されるとともに、前記第２爪部の先端側に第２湾曲部が形成されており、所定トルク以上で前記キャップが反対方向に回転された場合には、前記第２爪部が前記第１爪部を乗り越えるように構成されている。
【０００９】
このように構成することによって、第１爪部および第２爪部により、所定トルク未満の場合にキャップの反対方向への回転が規制されるので、キャップが緩むのを抑制することができる。また、第２当接面部が第１当接面部に当接されている場合に、第２爪部がスリーブコレットと離間されるとともに、第１爪部がキャップと離間されることにより、第１爪部および第２爪部が摩耗するのを抑制することができる。さらに、第１湾曲部および第２湾曲部により、所定トルク以上の場合に第２爪部が第１爪部を乗り越えるので、キャップをグランド本体から損傷することなく取り外すことができる。したがって、キャップが緩むのを抑制しながら、キャップをグランド本体から再使用可能な状態で取り外すことができる。
【発明の効果】
【００１０】
本発明のケーブルグランドによれば、キャップの緩みを抑制し、なおかつ、再使用可能な状態でキャップを緩めることができる。
【図面の簡単な説明】
【００１１】
【図１】本実施形態によるケーブルグランドを示した斜視図である。
【図２】図１のケーブルグランドを示した分解斜視図である。
【図３】図１のケーブルグランドがケーブルを壁体に固定している状態を示した断面図である。
【図４】図２のケーブルグランドのキャップを示した斜視図である。
【図５】図１のケーブルグランドにおけるスリーブコレットの第１爪部およびキャップの第２爪部を中心から径方向外側に見て拡大して示した図である。
【発明を実施するための形態】
【００１２】
以下、本発明の実施形態を図面に基づいて説明する。
【００１３】
本発明のケーブルグランドの一例を図１〜図５を参照して説明する。
【００１４】
ケーブルグランド１は、図１〜図３に示すように、グランド本体２、スリーブ３、キャップ４、パッキン５、ロックナット６、およびスリーブコレット７などを備えている。
【００１５】
グランド本体２は、略円筒形状の部材（例えば樹脂製）であって、軸方向（円筒の軸方向）の中央部に略六角形状の鍔部２１が形成されており、この鍔部２１を挟んだ両側（軸方向の両側）に、それぞれ円筒形状のケーブル保持部２２と取付部２３とが形成されている。
【００１６】
ケーブル保持部２２の外周面には雄ねじ２２ａが形成されている。また、取付部２３の外周面には雄ねじ２３ａが形成されている。取付部２３は、電気機器の筺体の壁体１００（以下、電気機器の壁体１００ともいう）に形成された取付孔１０１（図３参照）に差し込まれる。
【００１７】
なお、以下の説明では、グランド本体２のケーブル保持部２２側（ケーブルグランド１のキャップ４側）を前方側といい、その反対側を後方側という。
【００１８】
グランド本体２には、ケーブル挿通用の挿通孔（貫通孔）２４が軸方向に沿って形成されている。挿通孔２４は段付き孔であって、当該挿通孔２４の軸方向の途中（ケーブル保持部２２内）には、後述するスリーブ３を内方（縮径方向）に向けて押圧するための円すいテーパ面２４ｂ（図３参照）が形成されており、この円すいテーパ面２４ｂの前方側がケーブル保持孔２４ａとなっている。円すいテーパ面２４ｂは、後方側に向かうにしたがって径が縮小するテーパ面である。そして、ケーブル保持孔２４ａには、後述するスリーブ３およびスリーブコレット７が嵌め込まれる。
【００１９】
スリーブ３は、例えばゴム製の円筒形状の部材であって、円筒部３１とフランジ３２とを有し、それら円筒部３１とフランジ３２とが一体形成されている。フランジ３２は、円筒部３１の後方側の端部（ケーブル保持部２２の円すいテーパ面２４ｂ側となる端部）の周縁から外側に突出する円環状の外フランジである。スリーブ３には、ケーブルＣ（図３参照）を通す挿通孔（貫通孔）３ａが軸方向に沿って形成されている。スリーブ３の軸方向の長さは、スリーブ３がグランド本体２のケーブル保持孔２４ａに嵌まり込んだ状態で、グランド本体２の端部（前方側の端部）から所定量突出する長さとなっている。
【００２０】
キャップ４は、図４に示すように、外周面が略六角形状の周壁部４１と、その周壁部４１の前方側を覆う前壁部４２とを有する袋ナット状の部材（例えば樹脂製）である。キャップ４の周壁部４１の内周面には、グランド本体２のケーブル保持部２２の雄ねじ２２ａに噛み合う雌ねじ４１ａが形成されている。
【００２１】
キャップ４の前壁部４２の中央には、ケーブルＣを通すための円形孔４２ａが形成されている。さらに、キャップ４には、周壁部４１と前壁部４２との間の内側隅部に円すいテーパ面４２ｂが形成されている。この円すいテーパ面４２ｂの中心軸は雌ねじ４１ａの中心軸に一致している。円すいテーパ面４２ｂは、後方側（前壁部４２とは反対側）に向かうにしたがって径が拡大するテーパ面である。
【００２２】
パッキン５は、図３に示すように、円形孔５ａを有する円環状の部材（例えばゴム製）であって、グランド本体２の鍔部２１と電気機器の壁体１００との間に挟み込まれる。パッキン５の内径（円形孔５ａの直径）は、グランド本体２の取付部２３の雄ねじ２３ａの外径と略等しい。
【００２３】
ロックナット６は、グランド本体２を電気機器の壁体１００に固定するためのナット（例えば樹脂製）であって、グランド本体２の取付部２３の雄ねじ２３ａに噛み合う雌ねじ６ａが形成されている。
【００２４】
スリーブコレット７はスリーブ３に装着される。スリーブコレット７は、強靭で高い潤滑性を有する合成樹脂（例えばナイロン類やポリアミド等）からなる薄い部材である。スリーブコレット７は、図２に示すように、スリーブ３（円筒部３１）を囲う円筒形状に形成された円筒部７１とフランジ７２とを有し、それら円筒部７１とフランジ７２とが一体形成されている。フランジ７２は、円筒部７１の前方側の端部（スリット７３ａの開放側とは反対側の端部）の周縁から内側に突出する円環状の内フランジである。
【００２５】
スリーブコレット７の円筒部７１の内径は、スリーブ３の円筒部３１の外径に対応しており、このスリーブコレット７の円筒部７１をスリーブ３の円筒部３１に密着した状態で嵌め込むことができる。スリーブコレット７の円筒部３１の外径はスリーブ３のフランジ３２の外径と略等しい。また、スリーブコレット７の円筒部７１の外径は、グランド本体２のケーブル保持孔２４ａの内径に対応している。さらに、スリーブコレット７の円筒部７１の長さは、スリーブ３の円筒部３１の長さと略等しい。
【００２６】
スリーブコレット７の円筒部７１には、当該円筒部７１の軸方向の途中から軸方向に沿って後方側の端部（ケーブル保持部２２の円すいテーパ面２４ｂ側となる端部）にまで、一様幅で延びる複数（１８条）のスリット７３ａ・・７３ａが形成されている。これらスリット７３ａ・・７３ａは、スリーブコレット７の円筒軸を中心に対して回転対称に配置されている。各スリット７３ａは、円筒部７１の端部においてそれぞれ開放している。以下、スリット７３ａ・・７３ａが形成されている部分をスリット形成部７３という。
【００２７】
ここで、スリーブコレット７の円筒部７１には、複数（３つ）の突部７４が形成されている。突部７４は、円筒部７１の外周面から径方向外側に突出するように形成されるとともに、軸方向に延びるように形成されている。複数の突部７４は、周方向に所定の間隔を隔てて配置されている。また、グランド本体２のケーブル保持部２２には、複数（３つ）の溝部２５が形成されている。溝部２５は、ケーブル保持孔２４ａの内周面から径方向外側に窪むように形成されるとともに、軸方向に延びるように形成されている。複数の溝部２５は、周方向に所定の間隔を隔てて配置されている。そして、複数の突部７４は、それぞれ、複数の溝部２５に嵌合可能に構成されている。
【００２８】
また、スリーブコレット７のフランジ７２の前方側の面（キャップ４の前壁部４２と対向する面）には、第１当接面部７７、第１爪部７５および第１傾斜面部７６が設けられている。第１当接面部７７は、円環状に形成されるとともに、軸方向と直交するように形成されている。すなわち、第１当接面部７７は、円環帯状の平坦面である。第１爪部７５は、第１当接面部７７に対して径方向内側に配置され、周方向に所定の間隔を隔てて複数（３つ）設けられている。第１爪部７５は、フランジ７２の前方側の面から前方側に突出するように形成されている。周方向における第１爪部７５の間には、周方向（軸方向と直交する方向）に対して傾斜する第１傾斜面部７６が形成されている。すなわち、第１傾斜面部７６は、第１爪部７５の背面側に設けられている。各第１傾斜面部７６は、周方向において隣接する第１爪部７５の一方の根元から、周方向において隣接する第１爪部７５の他方の先端（頂点）に向けて緩やかに傾斜するように形成されている。このため、各第１傾斜面部７６は、ねじ込み方向（Ｒ方向）側に進むに連れて前方側に位置するように傾斜されている。第１爪部７５（図５参照）は、ほぼ軸方向に延びるように形成され、第１傾斜面部７６に比べて傾斜度合いが大きくなっている。また、第１爪部７５には、先端側（前方側）に第１湾曲部７５ａが形成されている。
【００２９】
また、図４に示すように、キャップ４の前壁部４２の後方側の面（スリーブコレット７のフランジ７２と対向する面）には、第２当接面部４５、第２爪部４３および第２傾斜面部４４が設けられている。第２当接面部４５は、円環状に形成されるとともに、軸方向と直交するように形成されている。すなわち、第２当接面部４５は、円環帯状の平坦面である。この第２当接面部４５は、第２爪部４３よりも後方側に配置され、第１当接面部７７と軸方向において対応するように配置されている。第２爪部４３は、第２当接面部４５に対して径方向内側に配置され、周方向に所定の間隔を隔てて複数（３つ）設けられている。第２爪部４３は、前壁部４２の後方側の面（第２当接面部４５から前方側に一段下がった面）から後方側に突出するように形成されている。第２爪部４３に対するねじ込み方向側には、周方向（軸方向と直交する方向）に対して傾斜する第２傾斜面部４４が形成されている。すなわち、第２傾斜面部４４は、第２爪部４３の背面側に設けられている。第２爪部４３（図５参照）は、ほぼ軸方向に延びるように形成され、第２傾斜面部４４に比べて傾斜度合いが大きくなっている。また、第２爪部４３には、先端側（後方側）に第２湾曲部４３ａが形成されている。なお、第２傾斜面部４４は、第１傾斜面部７６に比べて傾斜度合いが大きい。
【００３０】
そして、ケーブルグランド１では、キャップ４がケーブル保持部２２にねじ込まれるときに、キャップ４の第２当接面部４５がスリーブコレット７の第１当接面部７７に当接されている場合に、キャップ４の第２爪部４３がスリーブコレット７と離間されるとともに、スリーブコレット７の第１爪部７５がキャップ４と離間されるように構成されている。なお、第１当接面部７７および第２当接面部４５が当接されているときに、第１爪部７５および第２爪部４３は軸方向においてオーバーラップ（重複）されている。
【００３１】
次に、以上の構造のケーブルグランド１の取付手順について説明する。
【００３２】
（Ｓ１）まず、スリーブ３、キャップ４、パッキン５、ロックナット６、およびスリーブコレット７をグランド本体２から分解しておく。
【００３３】
（Ｓ２）グランド本体２の取付部２３にパッキン５を嵌め込み、その取付部２３を電気機器の壁体１００の取付孔１０１に当該壁体１００の表側（電子機器の筐体の表側）から差し込む。
【００３４】
（Ｓ３）壁体１００の取付孔１０１に差し込んだグランド本体２の取付部２３の雄ねじ２３ａ（壁体１００の裏側に突出している部分の雄ねじ２３ａ）にロックナット６をねじ込むことによって、グランド本体２を壁体１００に取り付ける（固定する）。
【００３５】
（Ｓ４）スリーブ３の外周部にスリーブコレット７を装着する。次いで、スリーブ３およびキャップ４にケーブルＣを通した状態で、スリーブ３およびスリーブコレット７をグランド本体２のケーブル保持孔２４ａ内に、スリーブコレット７のスリット７３ａ開放側の端部を円すいテーパ面２４ｂに向けた状態で嵌め込む。このとき、スリーブコレット７の突部７４がケーブル保持孔２４ａの溝部２５に挿入され、突部７４が溝部２５に嵌め合わされる。このため、スリーブコレット７がグランド本体２に対して回転されないようになっている。
【００３６】
（Ｓ５）キャップ４の雌ねじ４１ａをグランド本体２のケーブル保持部２２の雄ねじ２２ａに合わせてキャップ４をグランド本体２にねじ込んでゆく。具体的には、キャップ４がグランド本体２に対してねじ込み方向（Ｒ方向）に回転される。このとき、キャップ４の第２爪部４３がスリーブコレット７と離間されるとともに、スリーブコレット７の第１爪部７５がキャップ４と離間された状態で、第２当接面部４５が第１当接面部７７と摺動される。そして、第２傾斜面部４４が第１傾斜面部７６に接触すると、一時的にスリーブ３が弾性変形されてスリーブコレット７が後方側に移動される（逃がされる）ことにより、第２傾斜面部４４が第１傾斜面部７６を乗り越える。このため、第２爪部４３が第１爪部７５に係合されることなく、キャップ４をグランド本体２に対してねじ込み方向に回転させることが可能である。なお、第２傾斜面部４４が第１傾斜面部７６を乗り越えるときには、第１当接面部７７が一時的に第２当接面部４５から離間される。このキャップ４のねじ込み過程において、キャップ４にてスリーブコレット７が後方側に押圧され、スリーブ３の後方側の端部が、グランド本体２の円すいテーパ面２４ｂによって押圧される。これによりスリーブ３が縮径方向に変形するとともに、スリーブコレット７のスリット形成部７３も縮径方向に変形する。そして、キャップ４のねじ込み（締め付け）が完了した状態で、スリーブ３の挿通孔３ａの内周面とケーブルＣの外周面とが密着する。これによって、電気機器の筐体内に塵や埃などが侵入するのを防止することができるとともに、ケーブルＣ自体をしっかりと保持・固定することができる。
【００３７】
その後、振動などに起因して予期せずに、キャップ４がグランド本体２に対してねじ込み方向とは反対方向に所定トルク未満で回転される場合には、第２爪部４３が第１爪部７５に係合されるため、キャップ４のグランド本体２に対する反対方向への回転が規制される。これにより、キャップ４の緩みが抑制される。
【００３８】
なお、第１爪部７５には第１湾曲部７５ａが形成されるとともに、第２爪部４３には第２湾曲部４３ａが形成されている。このため、所定トルク以上でキャップ４が反対方向に回転された場合には、第２爪部４３の第２湾曲部４３ａが第１爪部７５の第１湾曲部７５ａに当接すると、一時的にスリーブ３が弾性変形されてスリーブコレット７が後方側に移動される（逃がされる）ことにより、第２爪部４３が第１爪部７５を乗り越える。したがって、所定トルク以上の場合には、キャップ４をグランド本体２に対してねじ込み方向とは反対方向に回転可能であり、キャップ４をグランド本体２から損傷することなく取り外すことが可能である。なお、第２爪部４３が第１爪部７５を乗り越えるときには、第１当接面部７７が一時的に第２当接面部４５から離間される。また、所定トルクは、たとえば、第２爪部４３が第１爪部７５を乗り越えることができるか否かの境界値である。
【００３９】
＜効果＞
以上説明したように、本実施形態のケーブルグランド１によれば、スリーブ３にスリーブコレット７を装着し、そのスリーブ３をケーブル保持部２２（ケーブル保持孔２４ａ）内に、スリーブコレット７のスリット７３ａ開放側の端部を円すいテーパ面２４ｂに向けて嵌め込んだ状態で、キャップ４をグランド本体２の雄ねじ２２ａにねじ込む際にキャップ４とスリーブ３との間にスリーブコレット７が介在するように構成している。このような構成により、キャップ４を締め付ける過程において、キャップ４とスリーブ３とは直接接触しなくなり、キャップ４とスリーブコレット７とが滑り回転するので、スリーブ３が捻じり方向の摩擦力から解放される。これにより、スリーブ３に作用する押圧力がスリーブ３の周方向にわたって均一化されるのでスリーブ３が適正に縮径される。
【００４０】
しかも、スリーブ３の外周部がスリーブコレット７によって囲われているので、スリーブ３の径方向外側への変形が制限される。これにより、キャップ４の締め付けによりスリーブ３が変形するときに、グランド本体２およびキャップ４の内部の空き空間にスリーブ３の変形が逃げることを防ぐことができるので、スリーブ３の気密・液密性およびケーブルＣの保持力をより確実に確保することが可能になる。
【００４１】
また、本実施形態のケーブルグランド１では、スリーブコレット７の円筒部７１の前方側の端部（スリット７３ａの開放側とは反対側の端部）に、円筒部７１の端部周縁から内方に向けて突出するフランジ７２を形成しているので、キャップ４を締め付ける際に、スリーブコレット７のフランジ７２がスリーブ３の前方側端部に当たって、スリーブ３に対するスリーブコレット７の軸方向の位置が規制される。これにより、スリーブコレット７がスリーブ３からずれることを防ぐことができる。
【００４２】
また、本実施形態では、スリーブコレット７に第１爪部７５を形成するとともに、キャップ４に第２爪部４３を形成することによって、振動などに起因して予期せずに、キャップ４がグランド本体２に対してねじ込み方向とは反対方向に所定トルク未満で回転される場合に、第２爪部４３が第１爪部７５に係合されることから、キャップ４の反対方向への回転を規制することができるので、キャップ４が緩むのを抑制することができる。したがって、気密・液密性の低下を抑制するとともに、ケーブルＣの保持力の低下を抑制することができる。なお、キャップ４がグランド本体２に対してねじ込み方向に回転される場合には、第２当接面部４５が第１当接面部７７と摺動されるとともに、第２傾斜面部４４が第１傾斜面部７６に接触すると第２傾斜面部４４が第１傾斜面部７６を乗り越えることにより、キャップ４を回転させることができる。
【００４３】
また、本実施形態では、キャップ４の第２当接面部４５がスリーブコレット７の第１当接面部７７に当接されている場合に、キャップ４の第２爪部４３がスリーブコレット７と離間されるとともに、スリーブコレット７の第１爪部７５がキャップ４と離間されることによって、第１爪部７５および第２爪部４３が摩耗するのを抑制することができる。
【００４４】
また、本実施形態では、第１爪部７５に第１湾曲部７５ａが形成されるとともに、第２爪部４３に第２湾曲部４３ａが形成されることによって、キャップ４が反対方向に所定トルク以上で回転される場合に、第２爪部４３が第１爪部７５を乗り越えるので、キャップ４をグランド本体２から損傷することなく取り外すことができる。したがって、キャップ４が緩むのを抑制しながら、キャップ４をグランド本体２から再使用可能な状態で取り外すことができる。
【００４５】
また、本実施形態では、スリーブコレット７に突部７４を形成するとともに、グランド本体２に溝部２５を形成し、突部７４を溝部２５に嵌め合わせることによって、キャップ４が反対方向に回転され、第２爪部４３が第１爪部７５に係合される場合に、スリーブコレット７がキャップ４とともに反対方向に連れ回されるのを防止することができる。すなわち、突部７４が溝部２５に嵌め合わされることにより、スリーブコレット７がグランド本体２に対して回転されないので、スリーブコレット７の第１爪部７５にキャップ４の第２爪部４３が係合されると、キャップ４の反対方向への回転が規制される。
【００４６】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００４７】
例えば、以上の実施形態では、スリーブコレット７のスリット７３ａの数を１８条としているが、本発明はこれに限られることなく、スリットの条数は１８条の以外の任意の条数であってもよい。また、スリーブコレット７の突部７４およびグランド本体２の溝部２５の数を３つとしているが、本発明はこれに限られることなく、突部および溝部の数は３つ以外の任意の数であってもよい。また、スリーブコレット７の第１爪部７５およびキャップ４の第２爪部４３の数を３つとしているが、本発明はこれに限られることなく、第１爪部および第２爪部の数は３つ以外の任意の数であってもよい。
【００４８】
本発明において、ケーブルグランドを構成する部材の断面構造等は、スリーブ、スリーブコレットおよびキャップの取り合いに影響しない範囲で適宜、改変可能である。スリーブに形成させる挿通孔の個数や太さについても、以上の実施形態に限定されるものではない。
【００４９】
また、本発明のケーブルグランドは、配電用や通信用のケーブルだけでなく、外皮（シース）のない電線や、電線を収容するための保護管、あるいは流体を送るための各管材等の保護にも利用可能であるから、本発明における「ケーブル」は、それらの線材や管材も包含するものとする。
【産業上の利用可能性】
【００５０】
本発明は、電気機器等にケーブルを保持する際に使用されるケーブルグランドに有効に利用することができる。
【符号の説明】
【００５１】
１      ケーブルグランド
２      グランド本体
２１    鍔部
２２    ケーブル保持部
２２ａ  雄ねじ
２３    取付部
２３ａ  雄ねじ
２４    挿通孔
２４ａ  ケーブル保持孔
２４ｂ  円すいテーパ面
２５    溝部
３      スリーブ
３ａ    挿通孔
３１    円筒部
３２    フランジ
４      キャップ
４１    周壁部
４１ａ  雌ねじ
４２    前壁部
４２ａ  円形孔
４２ｂ  円すいテーパ面
４３    第２爪部
４３ａ  第２湾曲部
４４    第２傾斜面部
４５    第２当接面部
５      パッキン
５ａ    円形孔
６      ロックナット
６ａ    雌ねじ
７      スリーブコレット
７１    円筒部
７２    フランジ
７３    スリット形成部
７３ａ  スリット
７４    突部
７５    第１爪部
７５ａ  第１湾曲部
７６    第１傾斜面部
７７    第１当接面部
１００  壁体
１０１  取付孔
Ｃ      ケーブル
Ｒ      ねじ込み方向
【図１】
2020120568.tif 000003
【図２】
2020120568.tif 000004
【図３】
2020120568.tif 000005
【図４】
2020120568.tif 000006
【図５】
2020120568.tif 000007